(57)【要約】【課題】円周方向に展開する収納空間の所望の棚に履物を簡単に収納することができ、かつ収納した履物を棚から簡単に選び出すことができ、さらには所望の場所に楽に移動させることができ、また、埃が収納した履物に付着するのを防ぐことがで、さらには地震等の揺れにも対応できる回転式移動可能な履物ラックを提供することにある。【解決手段】キャスター６を備えた移動可能な支持枠体２と、上下方向に複数の履物１３を収納できる履物載置用空間部１４を複数個所に備えて上記支持枠体２の上に回転手段３を介して回転自在に設けた回転枠本体４と、上記回転枠本体４の各履物載置用空間部１４に複数段に設けた履物載置棚５と、からなる構成にしてある。【選択図】  図２
2007267983.tif 000002
【特許請求の範囲】
【請求項１】
キャスターを備えた移動可能な支持枠体と、上下方向に複数の履物を収納できる履物載置用空間部を円周方向の複数個所に備えて上記支持枠体の上に回転手段を介して回転自在に設けた回転枠本体と、上記回転枠本体の各履物載置用空間部に複数段に設けた履物載置棚と、からなることを特徴とする回転式移動可能な履物ラック。
【請求項２】
履物載置用空間部に設けた複数の履物載置棚は、回転枠本体の上下方向に取り付け位置調整可能に設けられていることを特徴とする請求項１記載の回転式移動可能な履物ラック。
【請求項３】
履物載置棚は網体、枠体、透明板、または不透明の板部材であることを特徴とする請求項１または２記載の回転式移動可能な履物ラック。
【請求項４】
回転枠本体の上部に、回転枠本体の外周を開閉可能に覆うことができるカバーを設けたことを特徴とする請求項１，２または３記載の回転式移動可能な履物ラック。
【請求項５】
カバーは円筒状または角筒状であることを特徴とする請求項４記載の回転式移動可能な履物ラック。
【請求項６】
キャスターを備えた移動可能な支持枠体と、上下方向に複数の履物を収納できる履物載置用空間部を円周方向の複数個所に備えて上記支持枠体の上に回転手段を介して回転自在に設けた回転枠本体と、上記回転枠本体の各履物載置用空間部に複数段に設けた履物載置棚とを、開閉可能な収納箱に収納した構成を特徴とする回転式移動可能な履物ラック。
【請求項７】
収納箱は、少なくとも一部を通気性を有する部材によって或いは通気性構造に形成されていることを特徴とする請求項６記載の回転式移動可能な履物ラック。
【請求項８】
伸縮固定可能なポールが、回転枠本体の回転に対して少なくとも上部が非回転になるようにして回転枠本体の中心部に備えられていることを特徴とする請求項１，２，３，４，５または６記載の回転式移動可能な履物ラック。
【発明の詳細な説明】
【技術分野】
【０００１】
本発明は、多数の各種の履物を収納するのに使用でき、また玄関や下駄箱等に収まりきらない多数の履物を収納して別の場所に移動させて保管しておくことができ、さらには店の履物陳列ラックとしても使用できる回転式移動可能な履物ラックに関するものである。
【背景技術】
【０００２】
一般に各家庭ではシューズをはじめ各種の履物を玄関に設置した下駄箱に収納して保管している。また、数が多くて下駄箱に収まりきらない履物は、下駄箱の上に置いたり、玄関に並べたりしている。
【０００３】
しかしながら、履物を下駄箱の上に置いたり玄関に並べたりしたのでは見苦しいことであり、玄関の扉を開けた途端にこの光景を目にすることは訪問者にとっては不快なことであり、また家人にとっても見慣れているとはいえ気分のいいものではなかった。
【０００４】
なお、本発明の参考文献として下記の特許文献を例示しておく。
【０００５】
【特許文献１】特開平８−２４２９４４号公報
【特許文献２】登録実用新案第３０４４９４３号公報
【発明の開示】
【発明が解決しようとする課題】
【０００６】
本発明は上記のような点に鑑みて開発されたものであり、その目的とするところは、円周方向に展開する収納空間の所望の棚に履物を簡単に収納することができ、かつ収納した履物を棚から簡単に選び出すことができ、さらには所望の場所に楽に移動させることができ、また、埃が収納した履物に付着するのを防ぐことができ、さらには地震等の揺れにも対応できる回転式移動可能な履物ラックを提供することにある。
【課題を解決するための手段】
【０００７】
本発明は上記の目的を有効に達成するために、次のような構成にしてある。すなわち、請求項１記載の本発明の回転式移動可能な履物ラックは、キャスターを備えた移動可能な支持枠体と、上下方向に複数の履物を収納できる履物載置用空間部を円周方向の複数個所に備えて上記支持枠体の上に回転手段を介して回転自在に設けた回転枠本体と、上記回転枠本体の各履物載置用空間部に複数段に設けた履物載置棚と、からなることを特徴とする構成にしてある。
【０００８】
請求項２記載の本発明の回転式移動可能な履物ラックは、請求項１記載の回転式移動可能な履物ラックにおいて、履物載置用空間部に設けた複数の履物載置棚は、回転枠本体の上下方向に取り付け位置調整可能に設けられていることを特徴とする構成にしてある。
【０００９】
請求項３記載の本発明の回転式移動可能な履物ラックは、請求項１または２記載の回転式移動可能な履物ラックにおいて、  履物載置棚は網体、枠体、透明板、または不透明の板部材であることを特徴とする構成にしてある。
【００１０】
請求項４記載の本発明の回転式移動可能な履物ラックは、請求項１、２または３記載の回転式移動可能な履物ラックにおいて、回転枠本体の上部に、回転枠本体の外周を開閉可能に覆うことができるカバーを設けたことを特徴とする構成にしてある。
【００１１】
請求項５記載の本発明の回転式移動可能な履物ラックは、請求項４記載の回転式移動可能な履物ラックにおいて、カバーは円筒状または角筒状であることを特徴とする構成にしてある。
【００１２】
請求項６記載の本発明の回転式移動可能な履物ラックは、キャスターを備えた移動可能な支持枠体と、上下方向に複数の履物を収納できる履物載置用空間部を円周方向の複数個所に備えて上記支持枠体の上に回転手段を介して回転自在に設けた回転枠本体と、上記回転枠本体の各履物載置用空間部に複数段に設けた履物載置棚とを、開閉可能な収納箱に収納した構成を特徴とする。
【００１３】
請求項７記載の本発明の回転式移動可能な履物ラックは、請求項６記載の回転式移動可能な履物ラックにおいて、収納箱は、少なくとも一部を通気性を有する部材によって或いは通気性構造に形成されていることを特徴とする。
【００１４】
請求項８記載の本発明の回転式移動可能な履物ラックは、請求項１，２，３，４，５または６記載の回転式移動可能な履物ラックにおいて、伸縮固定可能なポールが、回転枠本体の回転に対して少なくとも上部が非回転になるようにして回転枠本体の中心部に備えられていることを特徴とする。
【発明の効果】
【００１５】
本発明の回転式移動可能な履物ラックでは、回転枠本体を持って押したり引いたりするだけでキャスターが転動して簡単に所望の場所に移動させることができる。また、複数の履物載置棚を備えて複数の履物を収納できる履物載置用空間部を複数個所に備えた回転枠本体を回転させることにより、回転枠本体のどの位置の履物載置用空間部の履物載置棚に収納した履物も、取り出し側に向けて簡単に取り出すことができる。また、履物を収納する場合も、回転枠本体を回転させることによって空いている履物載置棚を簡単に見つけ出して素早く収納することができる。さらに回転枠本体の全体を開閉可能なカバーで覆うことにより収納した履物に埃が付着するのを防ぐことができる。また、収納箱に収納して扉を閉じておくことにより玄関等に設置した場合も中が見えずに見栄えがよい。また、収納箱を通気性のある部材で形成することによって内部に臭いのこもるのを防止できる。さらに、非回転に回転枠本体の中心部に伸縮固定可能なポールを設けることによって、必要に応じてポールを伸ばし先端を天井に押し当てることにより、地震等の時に履物ラックが転倒したり移動したりするのを防止することができる。
【発明を実施するための最良の形態】
【００１６】
以下、本発明を実施するための最良の形態を図に基いて説明する。図１〜図４は本発明にかかる一例の回転式移動可能な履物ラックに関する図であり、この回転式移動可能な履物ラック１は、支持枠体２と、回転手段３を介して上記支持枠体２上で回転させることができる回転枠本体４と、回転枠本体４に複数段に設けた履物載置棚５とからなる。
【００１７】
より具体的に説明すると、上記した支持枠体２は、金属パイプを所定の円形状に形成したものであり、下面側の４箇所に等間隔を以ってキャスター６を設け、このキャスター６の転動によって履物ラック1全体を任意の方向に移動させることができるようにしてある。また、円形状の支持枠体２には、中央を横切るようにして支持板部材７が設けてある。
【００１８】
上記した回転枠本体４は、この例では円形状の支持枠体２と同じ大きさの円形状の下部枠８と、この下部枠８に十字状に掛け渡した支持板９、１０と、十字状に掛け渡した支持板９の一端部９ａと支持板１０の一端部１０ａとの上面に掛け渡たすように立設したコ状枠１１ａと、支持板９の一端部９ｂと支持板１０の一端部１０ｂとの上面に掛け渡たすように立設したコ状枠１１ｂと、対峙するコ状枠１１ａとコ状枠１１ｂとの上部中央に掛け渡して設けた繋ぎ部材１２と、上記下部枠８の円周方向の４箇所に等間隔にブラケット１８を介して設けたローラ１９とからなる。また、上記支持板９、１０の長さは下部枠８の径よりも少し長く、上記支持板９、１０の各一端部９ａ、９ｂ、１０ａ、１０ｂは、円形状の下部枠８の外に少し突き出している。
【００１９】
上記した回転枠本体４には、上記のようにしてコ状枠１１ａ、１１ｂを設けたことにより、周囲の４箇所（４面方向）に、上下・左右方向に複数の履物１３を収納できる履物載置用空間部１４が形成される。なお、履物載置用空間部１４は、コ状枠等の組み合わせ構成によって回転枠本体４の周囲の２箇所（２面方向）、３箇所（３面方向）、または５箇所（５面方向）以上に設けてもよい。
【００２０】
各履物載置用空間部１４には、所定間隔を以って３段に履物載置棚５が設けられている。各履物載置棚５には、左右方向に複数の履物１３を載置することができる。勿論、1足の履物を載置できる履物載置棚に設計変更するも自由である。この履物載置棚５は、棚部１６と、棚部１６の両側部を上記したコ状枠１１ａ、１１ｂに係止する係止部１７とからなり、金属線材を長方形状に形成すると共に複数箇所に桟１６ａを設け、さらに載置した履物１３が引っ掛かるように下側部１６ｂを上方向に折り曲げ形成してある。係止部材１７は、パイプ材からなる上記したコ状枠１１ａ、１１ｂに嵌め込み固着できるように一部を縦割れ形成した１対の円筒材からなる。上記の履物載置棚５は、両側を係止部材１７に対して下側部１６ｂを下にして傾斜するようにして固定してある。
【００２１】
上記の構成からなる履物載置棚５は、各係止部材１７をコ状枠１１ａ、１１ｂに嵌め込むことによって回転枠本体４の各履物載置用空間部１４に下側部１６ｂを手前にして斜めに設けてある。図示の例では履物載置棚５は所定間隔を以って３段に設けてあるが、２段でも或いは４段以上に設けてもよい。また、係止部材１７はコ状枠１１ａ、１１ｂに対する嵌め込む位置を上下に少し力を入れて滑らすことにより任意に変えることができ、この嵌め込む位置を変えることにより、上下の履物載置棚５の高さ位置や間隔を任意に変えることができる。
【００２２】
回転手段３は、支持板部材７の中央部に軸受を内蔵して立設した円筒２０と、回転枠本体４の下部枠８に十字状に掛け渡した支持板９、１０の中央部に下方に突出するように設けた軸（図示せず）とからなり、上記軸を軸受を内蔵した円筒２０内に装着することによって、上記回転枠本体４を支持枠体２上で回転自在に支持する。
【００２３】
上記した回転手段３を介して回転枠本体４を支持枠体２に設けた場合、円形状の下部枠８に設けたローラ１９は、円形状の支持枠体２の上に載置されて回転枠本体４を回転自在に支持する。なお、回転手段は上記の例に限定されるものではなく支持枠体２も対して回転枠本体４を自由に回転できれば、如何なる構造のものであってもよい。
【００２４】
上述のような構成からなる回転式移動可能な履物ラック１では、回転枠本体４の例えばコ状枠１１ａ、１１ｂの何れかを握って押すことにより、各キャスター６が転動して所望の場所に簡単に移動させることができる。また、各履物載置用空間部１４の履物載置棚５にはシューズやスリッパ、ブーツ等の各種の複数の履物１３を載置することができ、載置した各履物１３は履物載置棚５の下側部１６ｂに後部が引掛かかるためズレ落ちることはない。また、回転枠本体４を回すことにより回転枠本体４のローラ１９が円形状の支持枠体２の上を転動する。そのため回転枠本体４は支持枠体２の上で回り、所望の履物載置用空間部１４の履物載置棚５を使用者の正面に向けることができ、簡単に履物１３を所望の履物載置棚５に収納したり、収納した履物載置棚５から履物を取り出したりすことができる。
【００２５】
図５、図６は別の例の本発明にかかる回転式移動可能な履物ラック１であり、この例では、上記した外周の全体を覆うことができるカバー２２が回転枠本体４に設けてある。なお、カバー２２以外の構成は上記した例の回転式移動可能な履物ラック１の構成と同様であり説明を省略する。
【００２６】
図示の例のカバー２２は、上記の回転枠本体４や支持枠体２等の履物ラック１をすっぽりと覆うことができる角筒状のものであり開口側を下にして被せる。各隅部２３にはファッスナー２４が設けられていて、各履物載置用空間部１４の両側に位置するファッスナー２４を開閉することにより、各履物載置用空間部１４を開閉して履物１３を履物載置棚５に収納したり、収納した履物載置棚５から履物１３を取り出したりすることができる。そしてカバー２２を設けたことにより、履物載置棚５に収納した履物１３に埃が付着するのを防ぐことができる。また、各履物載置棚５に収納した履物１３が外から見えないようにするための目隠しとなる。さらにカバー２２を設けることによって見栄えがよくなる。
【００２７】
なお、カバーの構成は図示の例のような構成のものに限定されるものではなく、例えばカバーは円筒状のものであり、所定箇所に縦に切り込みを入れて各履物載置用空間部のカバー部分を上下方向に開閉できるようにしたものでもよい。また、円形または四角形等の枠を回転枠本体４の上部外周に固定して設け、上記した例のカバー２２からファッスナー２４を省いたカバーをこの枠に係止させるようにして被せ、各履物載置用空間部１４を覆うカバー部分を必要に応じて開閉でき巻き上げて止めバンド等で回転枠本体の上部で止めておくことができる構成のものでもよい。さらには、回転枠本体４の上部に枠部材を設け、この枠部材の回転枠本体４の各履物載置用空間部の箇所にそれぞれカバーの一種であるロールスクリーンを設け、必要に応じて各履物載置用空間部を上記ロールスクリーンで開閉できるようにしてもよい。また、上記も枠部材の回転枠本体４の各履物載置用空間部の箇所にそれぞれカバーの一種であるカーテンを設け、このカーテンを左右に移動させて各履物載置用空間部を開閉できるようにしたものであってもよい。カバーの材質は特に限定されるものではない。さらにカバーは透明、半透明、不透明のいずれでもよく或いはいずれかの組み合わせでもよい。勿論、回転枠本体４の周囲を開閉できれば如何なる形状、構成のカバーであってもよくまた単なる筒状で所定箇所を開閉できものでもよい。
【００２８】
また、本発明は図７に示すように観音開きの扉２５付き収納箱２６を備え、この収納箱２６に上記した例の構成からなる回転式移動可能な履物ラック全体を収納した構成の回転式移動可能な履物ラックであってもよい。収納箱２６に収納し必要なとき以外は扉２５を閉じておけば、玄関等に設置した場合も収納箱の中が見えずに見栄えがよい。また、履物の出し入れの時には扉２５を開け、中の回転枠本体４を適宜回転させて所望の履物１３を履物載置棚５から取り出したり、所望の履物載置棚５に履物を収納し、最後に扉２５を閉じておけば、カバーを備えていなくても埃が履物１３に付着することがない。
【００２９】
また、図８図に示すように観音開きの扉２５付き収納箱２６は、収納箱２６内の通気性をよくするために、収納箱２６の少なくとも一部または各面部２６ａをメッシュ地の部材によって形成してある。勿論、収納箱２６は、少なくとも一部または各面部を細長部材を格子状に形成した通気性構造や、複数の細長板部材を上下方向に所定間隔を以って平行にかつ少し斜めに設けた通気性構造とするも、その他の通気できる通気性構造にしてもよい。収納箱２６の通気性がよければ、収納した履物の臭いが内部にこもることを防止でき、また内部の湿気の除去の一助にもなる。なお、収納箱２６の形状は図示のような直方体形状に限らず、円筒体形状やその他の形状のものであってもよい。
【００３０】
また、図９に示す例の収納箱２６を備え回転式移動可能な履物ラック１においては、収納箱２６の開閉箇所を扉ではなく、ロールスクリーン２７を上部に回転自在に設け、必要に応じロールスクリーン２７を巻き戻して引き下げて上記の開閉箇所を閉じ、またロールスクリーン２７を巻き戻して上記の開閉箇所を開放できるようにしてある。開閉箇所にロールスクリーン２７を設けることにより、より見栄えがよくなる。この履物ラック１の他の構成は先に説明した例の履物ラックと同様であり同一箇所に同一符号を付して説明を省略する。
【００３１】
また、図１０、図１１は、伸縮固定可能なポール２８を設けた例の回転式移動可能な履物ラック１であって、本体枠４の中心部に上記ポール２８が設けてある。ポール２８は伸縮可能なように径の異なる複数の円筒からなり、本体枠４の中心部に設けた最外側の支持ポール部２９は、本体枠４に固定して設けてあり、この支持ポール部２９に順次挿入されている径の異なるその他のポール部３０は、上記支持ポール部２９に回動自在に挿入してある。そして上記の各ポール部３０は支持ポール部２９から引き出して順次伸ばすことができ、各ポール部３０を伸ばした状態で互いに固定機構（図示せず）によって固定することができる。また最も径の小さいポール部３０の上端には、天井に当接させる当て板３１が固着してある。所望の場所でこの履物ラック１のポール２８を伸ばして当て板３１に押し当てておくことにより、履物ラック１が何かで押されたり地震等で揺れたりしても移動したり倒れたりするのを防止できる。また、各ポール部３０は支持ポール部２９に回動自在に挿入してあるので、当て板３１を天井に押し当てているときに回転枠本体４を回転させても、支持ポール部２９は本体枠４とともに回るが、他のポール部３０は共回りしない。なお、この例の履物ラック１に上記したカバーや収納箱を備える場合は、ポールが伸縮できるように上面の中央部を開口しておく。この履物ラック１の他の構成は先に説明した例の履物ラックと同様であり同一箇所に同一符号を付して説明を省略する。
【００３２】
なお、本発明の回転式移動可能な履物ラックにおいて、履物載置棚は金属や合成樹脂の線材による網体、透明のガラスや合成樹脂板または金属や合成樹脂や木等の不透明の板部材であってもよい。
【図面の簡単な説明】
【００３３】
【図１】本発明にかかる一例の回転式移動可能な履物ラックの斜視図である。
【図２】図１の回転式移動可能な履物ラックの使用状態を示す斜視図である。
【図３】図２の回転式移動可能な履物ラックを上から見た斜視図である。
【図４】図１に示す回転式移動可能な履物ラックの一部を示す斜視図である。
【図５】本発明にかかる他の例のカバーを備えた回転式移動可能な履物ラックの斜視図である。
【図６】図５に示す回転式移動可能な履物ラックのカバーの一部を開けた状態を示す斜視図である。
【図７】本発明にかかる他の例の収納箱を備えた構成の回転式移動可能な履物ラックの斜視図である。
【図８】本発明にかかる別の例の収納箱を備えた構成の回転式移動可能な履物ラックの斜視図である。
【図９】本発明にかかる収納箱の開閉箇所にロールスクリーンを備えた構成の回転式移動可能な履物ラックの斜視図である。
【図１０】本発明にかかる伸縮可能なポールを備えた別の例の回転式移動可能な履物ラックの斜視図である。
【図１１】伸縮可能なポールを伸ばした状態の斜視図である。
【符号の説明】
【００３４】
１    回転式移動可能な履物ラック
２    支持枠体
３    回転手段
４    回転枠本体
５    履物載置棚
６    キャスター
１３  履物
１４  履物載置用空間部
２２  カバー
２５  扉
２６  収納箱
２８  ポール
【図１】
2007267983.tif 000003
【図２】
2007267983.tif 000004
【図３】
2007267983.tif 000005
【図４】
2007267983.tif 000006
【図５】
2007267983.tif 000007
【図６】
2007267983.tif 000008
【図７】
2007267983.tif 000009
【図８】
2007267983.tif 000010
【図９】
2007267983.tif 000011
【図１０】
2007267983.tif 000012
【図１１】
2007267983.tif 000013